(57)【要約】 【課題】  輝度均一性を向上させた面光源装置及びこれを有する表示装置を提供する。【解決手段】  面光源装置は、複数個の、一部が相互連結された各放電空間で発生したプラズマにより発生した非可視光線を可視光線に変化させる本体、及び放電空間を相互連結する連結部の周辺に配置され、各放電空間でのプラズマの密度が変化することを防止するために、プラズマを貯蔵するプラズマ貯蔵部を含む。面光源装置での輝度不均一を減少させて表示装置の表示品質を大きく向上させる。【選択図】    図１
2005142162.tif 000002
【特許請求の範囲】
【請求項１】
内部空間が複数の放電空間に分けられており、前記放電空間の一部が相互連結されており、各放電空間で発生したプラズマにより発生した非可視光線を可視光線に変化させる本体と、
前記放電空間を相互連結する連結部の周辺に配置され、前記各放電空間でのプラズマの密度が変化することを防止するために、前記プラズマを貯蔵するプラズマ貯蔵部と、
を含むことを特徴とする面光源装置。
【請求項２】
前記本体は、第１方向に第１長さ及び前記第１方向とほぼ直交する第２方向に第１幅を有し、
前記本体は、前記第１方向に延びるように配置され、前記放電空間が相互連結されるように第１長さより短い第２長さを有する空間分割部材を更に含むことを特徴とする請求項１記載の面光源装置。
【請求項３】
前記面光源装置は少なくとも２つの空間分割部材を含み、
前記少なくとも２つの空間分割部材は、前記第１方向に延びるように配置され、且つ第２方向に並置され、
前記少なくとも２つの空間分割部材は、前記放電空間が蛇行構造を有する放電空間を形成するように、前記本体に互い違いに連結されたことを特徴とする請求項２記載の面光源装置。
【請求項４】
前記プラズマ貯蔵部は、前記空間分割部材に隣接する２つの放電空間のうち、いずれか一方に配置されたことを特徴とする請求項１記載の面光源装置。
【請求項５】
前記プラズマ貯蔵部は、前記空間分割部材に隣接する２つの放電空間に配置されたことを特徴とする請求項１記載の面光源装置。
【請求項６】
前記プラズマ貯蔵部は、前記プラズマを収納するためのリセス部であることを特徴とする請求項１記載の面光源装置。
【請求項７】
前記リセス部は、同じ深さを有することを特徴とする請求項６記載の面光源装置。
【請求項８】
前記リセス部の深さは、前記プラズマの移動を減少させるために局部的に互いに異なることを特徴とする請求項６記載の面光源装置。
【請求項９】
前記プラズマを発生するために、前記本体は第１電極及び第２電極を含む電源印加部を更に含むことを特徴とする請求項１記載の面光源装置。
【請求項１０】
前記第１電極及び第２電極は、前記プラズマ貯蔵部と向かい合う位置に配置されたことを特徴とする請求項９記載の面光源装置。
【請求項１１】
前記本体は、相互に向かい合う第１基板、第２基板、及び前記第１基板と第２基板との間に配置され前記放電空間を形成するための密封部材を更に含むことを特徴とする請求項１記載の面光源装置。
【請求項１２】
前記プラズマ貯蔵部は、第１基板に形成されたことを特徴とする請求項１１記載の面光源装置。
【請求項１３】
前記プラズマ貯蔵部は、第２基板に形成されたことを特徴とする請求項１１記載の面光源装置。
【請求項１４】
前記プラズマ貯蔵部は、前記第１基板に形成された第１プラズマ貯蔵部、及び前記第２基板のうち、前記第１プラズマ貯蔵部と向かい合う位置に配置された第２プラズマ貯蔵部を含むことを特徴とする請求項１１記載の面光源装置。
【請求項１５】
前記本体は、前記本体の内側面に配置され前記非可視光線を可視光線に変更する蛍光層を更に含むことを特徴とする請求項１記載の面光源装置。
【請求項１６】
前記本体は、放電空間に供給され前記プラズマを発生する第１ガス、及び前記プラズマにより前記非可視光線を発生する第２ガスを更に含むことを特徴とする請求項１記載の面光源装置。
【請求項１７】
内部空間を相互連結された少なくとも２つの放電空間に分割する空間分割部を含む本体、前記本体に配置されて前記各放電空間で非可視光線を発生するプラズマを生成するための電源印加部、前記本体に配置され前記非可視光線を可視光線に変化させる蛍光層、及び前記放電空間を相互連結する連結部に形成されて前記各放電空間でのプラズマ密度の変化を防止するプラズマ貯蔵部を含む面光源装置と、
液晶を用いて前記可視光線を情報が含まれたイメージ光に変化させる表示パネルと、
を含むことを特徴とする表示装置。
【請求項１８】
前記プラズマ貯蔵部は、前記プラズマを収納するためのリセス部であることを特徴とする請求項１７記載の表示装置。
【請求項１９】
前記リセス部は、同じ深さを有することを特徴とする請求項１８記載の表示装置。
【請求項２０】
前記リセス部の深さは、前記プラズマの移動を減少させるために、局部的に互いに異なることを特徴とする請求項１８記載の表示装置。
【発明の詳細な説明】
【技術分野】
【０００１】
本発明は、面光源装置及びこれを有する表示装置に関し、特に、輝度不均一を改善した面光源装置及びこれを有する表示装置に関するものである。
【背景技術】
【０００２】
一般に、表示装置は、情報処理装置で処理されたデータを映像に変換する。前記表示装置は、液晶表示装置、プラズマ表示装置、有機電界発光表示装置等に区分される。前記液晶表示装置は、液晶を用いて映像をディスプレイする。
【０００３】
前記液晶表示装置の液晶は、電気的特性により電界の方向に対応して液晶の配列を変更させる。又、液晶は、光学的特性により液晶の配列に対応して光の透過率を変更させる。
【０００４】
即ち、液晶表示装置（Ｌｉｑｕｉｄ  Ｃｒｙｓｔａｌ  Ｄｉｓｐｌａｙ  ｄｅｖｉｃｅ、ＬＣＤ）は、液晶の電気的特性及び光学的特性を用いて映像をディスプレイする。液晶表示装置は、ＣＲＴ等に対して、嵩が非常に小さく、重量が軽いという長所を有し、この結果、携帯用コンピュータ、通信機器、液晶ＴＶ（ｌｉｑｕｉｄ  ｃｒｙｓｔａｌ  ｔｅｌｅｖｉｓｉｏｎ  ｒｅｃｅｉｖｅｒ）及び宇宙空港産業等に広く用いられている。
【０００５】
液晶を制御するために、液晶表示装置は液晶を制御する液晶制御パート（ｌｉｑｕｉｄ  ｃｒｙｓｔａｌ  ｃｏｎｔｒｏｌｌｉｎｇ  ｐａｒｔ）及び液晶制御パートに光を供給する光供給パート（ｌｉｇｈｔ  ｐｒｏｖｉｄｉｎｇ  ｐａｒｔ）を必要とする。
【０００６】
液晶制御パートは、第１基板に配置された画素電極（ｐｉｘｅｌ  ｅｌｅｃｔｒｏｄｅ）、第２基板に配置された共通電極（ｃｏｍｍｏｎ  ｅｌｅｃｔｒｏｄｅ）、及び画素電極と共通電極との間に配置された液晶を含む。画素電極は、解像度に対応して複数個で構成され、共通電極は、画素電極と対向して１個で構成される。各画素電極には、互いに異なるレベルを有する画素電圧（ｐｉｘｅｌ  ｖｏｌｔａｇｅ）を印加するために、薄膜トランジスタ（Ｔｈｉｎ  Ｆｉｌｍ  Ｔｒａｎｓｉｓｔｏｒ、ＴＦＴ）が連結され、共通電極には同じレベルの基準電圧（ｒｅｆｅｒｅｎｃｅ  ｖｏｌｔａｇｅ）が印加される。液晶表示装置の画素電極及び共通電極は、透明で導電性である物質で構成される。
【０００７】
光供給パートは、液晶制御パートの液晶に光を供給する。光は画素電極、液晶、及び共通電極を順次に通過し、この結果、液晶制御パートは映像を表示する。この際、映像の表示品質は、光供給パートの輝度均一性により大きく影響を受ける。
【０００８】
従来の表示装置の光供給パートには、冷陰極線管方式ランプ（Ｃｏｌｄ  Ｃａｔｈｏｄｅ  Ｆｌｕｏｒｅｓｃｅｎｔ  Ｌａｍｐ、ＣＣＦＬ）又は発光ダイオード（Ｌｉｇｈｔ  Ｅｍｉｔｔｉｎｇ  Ｄｉｏｄｅ、ＬＥＤ）が主に用いられる。冷陰極線管方式ランプは、輝度が高く、寿命が長く、白色光を発生させ、白熱灯に対して非常に小さい発熱量を有するという長所があり、発光ダイオードは低消費電力及び高輝度長所を有する。
【０００９】
しかし、従来の冷陰極線管方式ランプ又は発光ダイオードは、共に、輝度均一性が低いという短所を有する。
【００１０】
従って、冷陰極線管方式ランプ又は発光ダイオードによって光を発生させる光供給パートは、輝度均一性を向上させるために、導光板（Ｌｉｇｈｔ  Ｇｕｉｄｅ  Ｐａｎｅｌ、ＬＧＰ）、拡散部材（ｄｉｆｆｕｓｉｏｎ  ｍｅｍｂｅｒ）、及びプリズムシート（ｐｒｉｓｍ  ｓｈｅｅｔ）等のような光学部材（ｏｐｔｉｃａｌ  ｍｅｍｂｅｒ）を含む。
【００１１】
このような光学部材によって、冷陰極線管方式ランプ又は発光ダイオードを用いる表示装置は、嵩及び重量が大きく増加されるという問題点を有する。
【発明の開示】
【発明が解決しようとする課題】
【００１２】
従って、本発明はこのような従来の問題点を勘案したものであって、本発明の第１目的は、表示装置の嵩及び重量を減少させ、高い輝度均一性を有する面光源装置を提供することにある。
【００１３】
本発明の第２目的は、前記面光源装置を有する表示装置を提供することにある。
【課題を解決するための手段】
【００１４】
このような本発明の第１目的を具現するために、本発明は、内部空間が複数の放電空間に分けられており、前記放電空間の一部が相互連結されおり、各放電空間で発生したプラズマによって発生した非可視光線を可視光線に変化させる本体、及び放電空間を相互連結する連結部の周辺に配置されて各放電空間でのプラズマの密度が変化することを防止するために、プラズマを貯蔵するプラズマ貯蔵部を含む面光源装置を提供する。
【００１５】
又、本発明の第２目的を具現するために、本発明は、内部空間を相互連結された少なくとも２個の放電空間に分割する空間分割部を含む本体、本体に配置されて各放電空間で非可視光線を発生するプラズマを生成するための電源印加部、本体に配置されて非可視光線を可視光線に変化させる蛍光層、及び放電空間を相互連結する連結部に形成され各放電空間でのプラズマ密度の変化を防止するプラズマ貯蔵部を含む面光源装置、可視光線を液晶を用いて情報が含まれたイメージ光に変化させる表示パネルを含む表示装置を提供する。
【００１６】
本発明によると、複数個で構成された放電空間で発生したプラズマから非可視光線を発生させ、前記本体に配置されたプラズマ貯蔵部によってプラズマの分布を均一にして輝度均一性を向上させる。
【発明を実施するための最良の形態】
【００１７】
以下、添付図面を参照して、本発明の好ましい実施例を詳細に説明する。
面光源装置
【００１８】
（第１実施例）
図１は、本発明の第１実施例による面光源装置を図示した部分切開斜視図である。
【００１９】
図１を参照すると、面光源装置１００は、可視光線が生成される本体１１０、及び可視光線の輝度均一性を向上させるためのプラズマ貯蔵部１２０を含む。
【００２０】
本体１１０の放電空間は、後述するように空間分割部材１１４により複数個の放電空間１３０に分割されている。本体１１０に形成された各放電空間１３０は、それに隣接する放電空間１３０と、連結部１４０により一部において相互連結される。本実施例において、各放電空間１３０の一部を相互連結するのは、各放電空間１３０に配置される放電ガスの圧力を均一にするためである。各放電空間１３０では放電が生じ、この結果、各放電空間１３０ではプラズマが発生する。プラズマは、各放電空間１３０で非可視光線（ｉｎｖｉｓｉｂｌｅ  ｒａｙ）を発生させ、非可視光線は本体１１０から出射されるときに可視光線（ｖｉｓｉｂｌｅ  ｒａｙ）に変化する。
【００２１】
プラズマ貯蔵部１２０は、放電空間１３０が相互連結される連結部１４０に、又は連結部１４０の周辺に形成される。プラズマ貯蔵部１２０は、各放電空間１３０で発生したプラズマの一部を貯蔵する。プラズマ貯蔵部１２０にプラズマを貯蔵することにより、連結部１４０を通じてプラズマが急激に移動することが防止される。このように、各放電空間１３０で発生したプラズマの移動を減少させることにより、各放電空間１３０で発生した可視光線の輝度均一性を向上させることができる。
【００２２】
以下、本体及び本体に形成されたプラズマ貯蔵部の構成、目的、及び効果をより具体的に説明する。
【００２３】
図２は、図１に図示された空間分割部材の配置を図示した平面図であり、図３は、図１のＢ１−Ｂ２線に沿って切断した断面図である。
【００２４】
図１乃至図３を参照すると、本体１１０は、第１基板１１１、第２基板１１２、密封部材１１３、空間分割部材１１４、混合ガス１１５、蛍光層１１６、電源印加部１１７を含む。この際、前記本体１１０は、複数の空間分割部材１１４を含むこともできる。又、本体１１０は、光反射層１１８を更に含むことができる。
【００２５】
具体的に、本体１１０は平らな直六面体形状の空間を有する。本体１１０の内部に平らな形状の空間を形成する方法は多様であるが、本実施例では第１基板１１１、第２基板１１２、及び密封部材１１３を用いて、本体１１０に平らな形状の空間を形成する。
【００２６】
第１基板１１１及び第２基板１１２は、直六面体プレート形状を有し、同じ形状及び同じ表面積を有する。本実施例において、第１基板１１１及び第２基板１１２は透明な物質からなり、第１基板１１１及び第２基板１１２は相互に向かい合うように配置される。
【００２７】
密封部材１１３は、内部に四角形形状の開口を有する四角フレーム形状を有する。密封部材１１３は第１基板１１１と第２基板１１２との間に配置され、これによって第１基板１１１、第２基板１１２、及び密封部材１１３の間には、密封された平らな空間が形成される。密封部材１１３は、第１基板１１１及び第２基板１１２と実質的に熱膨張係数が同じ物質で製作される。
【００２８】
本体１１０の内部に形成された平らな空間で可視光線を発生するために、第１基板１１１、第２基板１１２、及び密封部材１１３により囲まれた空間ではプラズマを発生させる。プラズマは非可視光線を発生させ、非可視光線は蛍光層１１６により可視光線に変化させられる。この際、空間の嵩が大きくなるほど、プラズマを発生するための電力消耗が大きくなり、プラズマの密度が均一ではなくなる場合がある。
【００２９】
本実施例では、このような問題点を克服するために、本体１１０の内部に形成された平らな空間を分割して複数個の放電空間１３０を形成し、各放電空間１３０でプラズマを発生する方法が用いられる。
【００３０】
本体１１０に形成された平らな空間を複数の放電空間に分割するために、本体１１０は少なくとも１個の空間分割部材１１４を含む。空間分割部材１１４は、本体１１０の第１方向に配置される。好ましくは、空間分割部材１１４は複数個で構成される。各空間分割部材１１４は、第１方向に延び、第２方向に並置される。各空間分割部材１１４は互いにほぼ平行に配置される。
【００３１】
この際、空間分割部材１１４により各放電空間１３０が互いに連結され、各放電空間１３０にプラズマを発生するための第１ガス、及び非可視光線を発生するための第２ガスが容易に供給される。又、この構成により、全ての放電空間１３０において、プラズマを発生するための第１ガスの圧力及び非可視光線を発生するための第２ガスの圧力を実質的に均一とすることができる。
【００３２】
図２を参照すると、本体１１０の第１方向の第１長さＬ１は、各空間分割部材１１４の第２長さＬ２より長い。密封部材１１３と向かい合う空間分割部材１１４の端部を第１端部１１４ａ及び第２端部１１４ｂと定義する。複数個の空間分割部材１１４のうち、奇数番目の空間分割部材１１４ｃは、第１端部１１４ａが密封部材１１３に接触するように配置される。一方、複数個の空間分割部材１１４のうち、偶数番目の空間分割部材１１４ｄは、第２端部１１４ｂが密封部材１１３に接触するようにされる。従って、空間分割部材１１４は、各放電空間１３０が連結されて蛇行形状（ｓｅｒｐｅｎｔｉｎｅ  ｆｏｒｍ）を有する放電空間を形成するように配置される。
【００３３】
図３を参照すると、放電空間１３０には、第１ガス及び第２ガスからなる混合ガス１１５が注入される。第１ガスは、放電空間１３０でプラズマを形成するのに必要なガスであり、第２ガスは、放電空間１３０で非可視光線を発生するのに必要なガスである。
【００３４】
第１ガスは、アルゴン（Ａｒｇｏｎ）にネオン（Ｎｅｏｎ）、クリプトン（Ｋｒｙｐｔｏｎ）、キセノン（Ｘｅｎｏｎ）等が微量添加される。アルゴンはプラズマを発生させ、ネオン、クリプトン、及びキセノンはペニング効果（ｐｅｎｎｉｎｇ  ｅｆｆｅｃｔ）により放電空間１３０で放電を発生するのに必要な放電電圧のレベルを低くする。
【００３５】
第２ガスは、水銀（ｍｅｒｃｕｒｙ、Ｈｇ）を含む。第２ガスは、放電により第１ガスがプラズマ状態になって発生した電子と衝突し、その結果、放電空間１３０には非可視光線である紫外線（ｕｌｔｒａｖｉｏｌｅｔ  ｒａｙ）が発生する。
【００３６】
一方、本体１１０の内側面には蛍光層１１６が配置される。蛍光層１１６は、紫外線を可視光線に変化させる。
【００３７】
蛍光層１１６は、第１蛍光層１１６ａ及び第２蛍光層１１６ｂを含む。第１蛍光層１１６ａは、第１基板１１１の内側面に配置され、第２蛍光層１１６ｂは、第２基板１１２に第１蛍光層１１６ａと向かい合うように配置される。第２蛍光層１１６ｂは、空間分割部材１１４の壁面にも形成されることができる。第１蛍光層１１６ａは、液体の蛍光物質を第１基板１１１にプリンティング方式で塗布され、第２蛍光層１１６ｂは、液体の蛍光物質を第２基板１１２にスプレー方式で塗布される。
【００３８】
本実施例において、第１基板１１１及び第２基板１１２が透明な基板である場合、各放電空間１３０で発生した光は、第１基板１１１及び第２基板１１２に出射される。本実施例では、第１基板１１１に出射される光の輝度を向上させるために、第２基板１１２には光反射層（ｌｉｇｈｔ  ｒｅｆｌｅｃｔｉｖｅ  ｆｉｌｍ）１１８が配置される。光反射層１１８は、第２基板１１２と第２蛍光層１１６ｂとの間に介在する。光反射層１１８は、液化された金属をスプレーして形成され、酸化チタニウム（ＴｉＯ３）又は酸化アルミニウム（Ａｌ２Ｏ３）からなる。
【００３９】
図１を更に参照すると、放電空間１３０でプラズマを発生させるために、本体１１０には電源印加部１１７が配置される。電源印加部１１７は、第１電極１１７ａ及び第２電極１１７ｂを含む。第１電極１１７ａは、インバータ（図示せず）等から第１放電電圧の印加を受け、第２電極１１７ｂは第２電圧の印加を受ける。この際、第１放電電圧及び第２放電電圧は、放電空間１３０内で電子が空間移動するのに充分な電圧差を有する。この際、第１電極１１７ａ及び第２電極１１７ｂは、本体１１０の内部に配置されても良い。本実施例では、第１放電電圧及び第２放電電圧の電圧差をより減少させて消費電力を減少させるために、第１電極１１７ａ及び第２電極１１７ｂは、本体１１０の表面に配置される。本実施例において、電源印加部１１７の第１電極１１７ａ及び第２電極１１７ｂは、プラズマ貯蔵部１２０とオーバーラップする位置に配置される。
【００４０】
一方、空間分割部材１１４が、放電空間１３０が連結されて蛇行形状を有する放電空間を形成するように配置される場合、連結されたすべての放電空間１３０内の混合ガスの圧力は実質的に均一となる。しかし、各放電空間１３０で発生したプラズマが各放電空間１３０を連結する連結部１４０を通じて移動することができ、結果的に各放電空間１３０でのプラズマ密度が均一ではなくなる場合がある。このように各放電空間１３０でのプラズマ密度が均一ではない場合、各放電空間１３０での非可視光線の光量及び可視光線の光量が互いに相違する場合がある。
【００４１】
しかし、前記面光源装置は、連結部１４０又は連結部１４０の周辺に配置されたプラズマ貯蔵部１２０を含んで、各放電空間１３０でのプラズマ密度が均一になる。プラズマ貯蔵部１２０は、空間分割部材１１４の一端部に隣接する領域に形成されるか、空間分割部材１１４の両端部にそれぞれ隣接する領域に形成されることができる。従って、各放電空間１３０で発生された非可視光線及び可視光線の輝度が均一になる。
【００４２】
図４は、図１のＡ部分の拡大図であり、図５は、図４のＣ１−Ｃ２線に沿って切断した断面図である。
【００４３】
図４及び図５を参照すると、プラズマ貯蔵部１２０は、本体１１０の第２基板１１２の表面から所定の深さで形成されたリセス部である。プラズマ貯蔵部１２０の底面１２２と第２基板１１２の表面が成す深さＨ１は全部同じである。プラズマ貯蔵部１２０は図５における上方すなわち第１基板側から見た時、円形又は多角形形状を有するように形成することができる。この際、前記プラズマ貯蔵部が本体の第２基板の表面から突出する突起となるように構成することも可能である。
【００４４】
プラズマ貯蔵部１２０においてプラズマは第１密度を有し、放電空間１３０においてプラズマは第２密度を有する。この際、プラズマ貯蔵部１２０には、電子が放電空間１３０より多く集まるので、第１密度の方が第２密度より高い密度である。前記プラズマ貯蔵部が前記突起として形成される場合にも、前記電子が前記突起に隣接した領域に集まる。従って、プラズマ貯蔵部１２０の電気的抵抗は、放電空間１３０の電気的抵抗より低い。これによって、プラズマはそのプラズマが存在する放電空間内で放電空間１３０に沿って活発に移動するが、隣接した他の放電空間１３０に移動しない。従って、各放電空間１３０でのプラズマ密度が変化することを防止できる。
【００４５】
図６は、図４のＤ１−Ｄ２線に沿って切断した断面図である。
【００４６】
図４及び図６を参照すると、面光源装置は、補助プラズマ貯蔵部１２０′を含む。プラズマが隣接した放電空間１３０に移動しないようにするために、リセス形状の補助プラズマ貯蔵部１２０′の補助底面１２４は、第２基板１１２の表面に対して斜めに形成される。本実施例において、補助プラズマ貯蔵部１２０′の補助底面１２４及び第２基板１１２の表面が成す深さは、密封部材１１３に近い部分ほど浅く、本体１１０の中央に近づくほど漸次深くなる。
【００４７】
補助プラズマ貯蔵部１２０′の補助底面１２４を第２基板１１２の表面に対して斜めに形成することにより、プラズマが隣接した放電空間１３０に移動することをより効率的に遮断できる。
【００４８】
本実施例において、プラズマ貯蔵部１２０は全体的に深さが一定のリセス部として形成されているが、プラズマ貯蔵部１２０の底面の深さが連続的に増加するスロープ（ｓｌｏｐｅ）形状を有するようにすることも好ましい。
【００４９】
本実施例によると、面光源装置の本体にプラズマを貯蔵することができるリセスを形成して、放電空間で発生したプラズマが隣接した放電空間に移動することを防止して、輝度不均一を防止することができる。
【００５０】
（第２実施例）
図７は、本発明の第２実施例による面光源装置の断面図である。本発明の第２実施例による面光源装置は、実施例１のプラズマ貯蔵部の構成を除くと、実施例１の面光源装置と同じである。従って、同じ部材に対しては実施例１と同じ参照番号を付与して、その重複する説明は省略する。
【００５１】
図７を参照すると、プラズマ貯蔵部１２０は、第２基板１１２と向かい合う第１基板１１１の内側面に配置される。放電空間１３０に形成されたプラズマの垂直密度分布は、多様な理由により第１基板１１１方で密度が高く、第２基板１１２に向かうほど密度が低くなる。従って、第１基板１１１の内側面にプラズマ貯蔵部１２０を配置する場合、第２基板１１２にプラズマ貯蔵部１２０を形成する時に比較して、より良好な結果を得ることができる。
【００５２】
本実施例によると、面光源装置の本体の第１基板１１１の内側面にプラズマを貯蔵することができるリセスを形成して、放電空間で発生したプラズマが隣接した放電空間に移動することを防止して、輝度不均一を防止することができる。また、第１実施例に示したプラズマ貯蔵部の位置を改善することで、さらに効果的に輝度不均一を防止することができる。
【００５３】
（第３実施例）
図８は、本発明の第３実施例による面光源装置の断面図である。本発明の第３実施例による面光源装置は、実施例１のプラズマ貯蔵部の構成を除くと、実施例１の面光源装置と同じである。従って、同じ部材に対しては実施例１と同じ参照番号を付与して、その重複する説明は省略する。
【００５４】
図８を参照すると、プラズマ貯蔵部１２０に貯蔵されるプラズマの量をより増加させるために、プラズマ貯蔵部１２０は、第１プラズマ貯蔵部１２５及び第２プラズマ貯蔵部１２６を含む。第１基板１１１には、第１プラズマ貯蔵部１２５が形成され、第２基板１１２には、第２プラズマ貯蔵部１２６が形成される。この際、第１基板１１１に形成された第１プラズマ貯蔵部１２５及び第２基板１１２に形成された第２プラズマ貯蔵部１２６は、相互に向かい合うように配置されてもよく、また互いにずれた位置にくるように配置されても良い。
【００５５】
本実施例によると、面光源装置の第１基板及び第２基板にプラズマを貯蔵することができるリセスをそれぞれ形成したので、放電空間で発生したプラズマが隣接した放電空間に移動することを防止して、放電安定性を向上させて、より効果的に輝度不均一を防止することができる。
表示装置
【００５６】
図９は、本発明の一実施例による表示装置を図示した部分切開斜視図である。本発明の一実施例による表示装置の面光源装置として、実施例１乃至実施例３で説明した面光源装置のいずれかと同じ面光源装置を使用できる。本実施例では、実施例１として説明した面光源装置を使用した場合について説明する。
【００５７】
図９を参照すると、液晶表示装置９００は、収納容器６００、面光源装置１００、液晶表示パネル７００、及びシャーシ８００を含む。
【００５８】
面光源装置１００は、空間を相互に連結された少なくとも２個の放電空間１３０に分割する空間分割部材１１４を含む。面光源装置１００の本体１１０には、各放電空間１３０で非可視光線を発生するプラズマを生成するための電源印加部１１７が配置される。
【００５９】
本体１１０には、非可視光線を可視光線に変更させる蛍光層及び放電空間１３０を相互連結する連結部１４０に形成され、各放電空間１３０でのプラズマ密度が変更されることを防止するプラズマ貯蔵部１２０が配置される。
【００６０】
収納容器６００は、底面６１０及び収納空間を形成するために底面６１０のエッジ部に配置された複数個の側壁６２０、放電電圧印加モジュール６３０、及びインバータ６４０で構成される。収納容器６００は、面光源装置１００及び液晶表示パネル７００が左右に動かないようにこれらを固定する。
【００６１】
面光源装置１００は前記底面６１０上に配置され、前記底面６１０の形状は面光源装置１００と同じ形状を有する。本実施例において、底面６１０は面光源装置１００と同様に直六面体プレート形状を有する。
【００６２】
側壁６２０は、面光源装置１００が外部に離脱しないように底面６１０から延長される。
【００６３】
放電電圧印加モジュール６３０は、面光源装置１００の電源印加部１１７に放電電圧を印加する。放電電圧印加モジュール６３０は、第１放電電圧印加モジュール６３２及び第２放電電圧印加モジュール６３４を含む。第１放電電圧印加モジュール６３２は、第１導電本体６３２ａ及び第１導電本体６３２ａに形成された第１導電性クリップ６３２ｂで構成される。第２放電電圧印加モジュール６３４は、第２導電本体６３４ａ及び第２導電本体６３４ａに形成された第２導電性クリップ６３４ｂで構成される。
【００６４】
面光源装置１００に形成された一対の電源印加部１１７は、第１導電性クリップ６３２ｂ及び第２導電性クリップ６３４ｂに把持され固定される。
【００６５】
インバータ６４０は、第１放電電圧印加モジュール６３２及び第２放電電圧印加モジュール６３４に放電電圧を印加する。インバータ６４０及び第１放電電圧印加モジュール６３２は、第１電源印加線６４２により連結され、インバータ６４０及び第２放電電圧印加モジュール６３４は、第２電源印加線６４４により連結される。
【００６６】
液晶表示パネル７００は、面光源装置１００から発生した光を情報が含まれたイメージ光に変換する。これを具現するために、液晶表示パネル７００は、ＴＦＴ基板７１０、液晶７２０、カラーフィルター基板７３０、及び駆動モジュール７４０を含む。
【００６７】
ＴＦＴ基板７１０は、マトリックス形態に配置された画素電極、各画素電極に駆動電圧を印加する薄膜トランジスタ、ゲートライン、及びデータラインを含む。
【００６８】
カラーフィルター基板７３０は、ＴＦＴ基板７１０に形成された画素電極と向かい合うように配置されたカラーフィルター、及びカラーフィルターの上面に形成された共通電極を含む。
【００６９】
液晶７２０は、ＴＦＴ基板７１０とカラーフィルター基板７３０との間に配置される。
【００７０】
一方、液晶表示パネル７００のカラーフィルター基板７３０のエッジ部は、シャーシ８００により囲まれ、シャーシ８００の一部は、収納容器６００にフック結合される。シャーシ８００は、外部衝撃から脆性が弱い液晶表示パネル７００の割れを防止し、及び液晶表示パネル７００が収納容器６００から離脱することを防止する。光拡散部材５００は、前記液晶表示パネル７００と前記面光源装置１００との間に配置され、前記面光源装置１００から出射された光の特性を向上させる。
【００７１】
以上で詳細に説明したように、本発明によれば、面光源装置の輝度均一性を大きく向上させ、面光源装置の輝度均一性向上によって表示装置のディスプレイ品質を大きく向上させることができる。
【００７２】
以上、本発明を実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７３】
【図１】本発明の第１実施例による面光源装置を図示した部分切開斜視図である。
【図２】図１に図示された面光源装置の平面図である。
【図３】図１のＢ１−Ｂ２線に沿って切断した断面図である。
【図４】図１のＡ部分の拡大図である。
【図５】図４のＣ１−Ｃ２線に沿って切断した断面図である。
【図６】図４のＤ１−Ｄ２線に沿って切断した断面図である。
【図７】本発明の第２実施例による面光源装置の断面図である。
【図８】本発明の第３実施例による面光源装置の断面図である。
【図９】本発明の一実施例による表示装置を図示した部分切開斜視図である。
【符号の説明】
【００７４】
１００    面光源装置
１１０    本体
１１１    第１基板
１１２    第２基板
１１３    密封部材
１１４    空間分割部材
１１５    混合ガス
１１６    蛍光層
１１７    電源印加部
１１８    光反射層
１２０    プラズマ貯蔵部
１３０    放電空間
１４０    連結部
６００    収納容器
７００    液晶表示パネル
７１０    ＴＦＴ基板
７２０    液晶
７３０    カラーフィルター基板
７４０    駆動モジュール
８００    シャーシ
９００    液晶表示装置
【図１】
2005142162.tif 000003
【図２】
2005142162.tif 000004
【図３】
2005142162.tif 000005
【図４】
2005142162.tif 000006
【図５】
2005142162.tif 000007
【図６】
2005142162.tif 000008
【図７】
2005142162.tif 000009
【図８】
2005142162.tif 000010
【図９】
2005142162.tif 000011